(57)【特許請求の範囲】
【請求項１】
載荷部と、該載荷部から下方に突き出した複数の脚部とを有し、該脚部の間にフォーク挿入部が設けられた合成樹脂製パレットにおいて、
（１）該載荷部は、水平板状部と、該水平板状部の下面に設けられた縦方向に延びた複数の第１縦リブ（１２a）と横方向に延びた複数の第１横リブ（１２ｂ）とが交差することによって形成された格子状部とによって構成され、
（２）脚部が該格子状部の下端から下方に突き出して形成され、
（３）該脚部は、該脚部を横断する複数の平行な第２縦リブ（１２ａ’）と該脚部を横断する複数の平行な第２横リブ（１２ｂ’）によって区切られた、複数の有底中空状脚部によって構成され、
（４）該脚部を横断する複数の平行な第２縦リブ（１２ａ’）の間隔は、該脚部を横断しない複数の平行な第１縦リブ（１２ａ）の間隔よりも狭く形成され、かつ、該脚部を横断する複数の平行な第２横リブ（１２ｂ’）の間隔は、該脚部を横断しない複数の平行な第１横リブ（１２ｂ）の間隔よりも狭く形成されている
ことを特徴とする合成樹脂製パレット。
【請求項２】
該有底中空状脚部は、上方に向かって拡開して形成されている請求項１に記載の合成樹脂製パレット。
【請求項３】
該載荷部の周辺には、下方に垂下した垂下部が形成され、該垂下部の内側には、下方に傾斜した傾斜辺を有する傾斜リブが複数個形成されている請求項１又は２に記載の合成樹脂製パレット。
【請求項４】
該傾斜リブの複数個は、該第１縦リブ（１２ａ）又は該第１横リブ（１２ｂ）に連続するように形成されている請求項３に記載の合成樹脂製パレット。
【請求項５】
フォーク挿入部上の該傾斜リブは、その傾斜辺が側方に向かって露出している請求項３又は４に記載の合成樹脂製パレット。
【請求項６】
該複数の有底中空状脚部の底部に、合成樹脂製連結板状体の突起状の嵌合部と係止する係止部挿入孔を設けた請求項１から５のいずれかに記載の合成樹脂製パレット。
【発明の詳細な説明】
【０００１】
【発明が属する技術分野】
本発明は、種々の物品を輸送する際に使用する合成樹脂製パレットに関する。
【０００２】
【従来の技術】
従来、種々の物品を輸送する際に、載荷部と、該載荷部から下方に突き出した複数の脚部とを有し、該脚部の間にフォーク挿入部が設けられた合成樹脂製パレットが使用されている。
このような合成樹脂製パレット上に物品を載せて多段に積み重ねた場合には、合成樹脂製パレットの脚部が下段の物品に当たり、下段の物品を破損する恐れがあった。
更にまた、このような合成樹脂製パレットに物品を載せてローラーコンベアー上で移動させた場合には、ゴトゴトと好ましくない振動が生じて荷崩れを起こす恐れがあった。
【０００３】
そこで、特開平１１−２３６０４０号公報で提案されているように、合成樹脂製パレット本体と、該合成樹脂製パレット本体の脚部に着脱自在に取り付けられて複数の脚部を連結する複数の合成樹脂製連結板状体とから成る合成樹脂製パレットが使用されている。これらの合成樹脂製パレットでは、合成樹脂製連結板状体を合成樹脂製パレット本体に取り付ける方法として、有底中空状脚部の下面に設けた係止部に合成樹脂製連結板状体の係止部を係止させることのみで固定する方法が採られている。
【０００４】
しかしながら、脚部の下面に設けた係止部のみで合成樹脂製連結板状体を固定する係止構造では、荷役作業者がパレットを床面上で引きずるように移動する際に、移動方向によっては、はめ込み部に剪断力が働くために底面ボードが不用意に外れ、荷役作業に支障を来すことが多く発生し、不便であった。
【０００５】
また、この様な合成樹脂製パレット本体の脚部を有底中空構造とし、さらに載荷部がシート状となっていることでパレット本体同士を多段積みする際、積み重ね高さを低く押さえることができる利点がある一方、載荷部がシート状であることから積載物を載荷部に載せてフォークリフト等で持ち上げると撓みやすく、荷崩れや破損が起きやすいという不具合があった。この強度不足の改善策として特開平１１−３５０３９号公報で提案されている方法があるが重量物を扱うには、まだ不十分であった。
【０００６】
【発明が解決しようとする課題】
本発明は、充分な強度を有する合成樹脂製パレットを提供することを目的とすると共に、合成樹脂製連結板状体を取り付けた際には、荷役作業者等による床面上でのパレットの前後左右の移動に対しても充分な嵌着力を有し、荷役作業中に不用意に合成樹脂製連結板状体が外れることがない合成樹脂製パレットを提供することを目的とする。
【０００７】
【課題を解決するための手段】
本発明は、載荷部と、該載荷部から下方に突き出した複数の脚部とを有し、該脚部の間にフォーク挿入部が設けられた合成樹脂製パレットにおいて、
（１）該載荷部は、水平板状部と、該水平板状部の下面に設けられた縦方向に延びた複数の第１縦リブ（１２a）と横方向に延びた複数の第１横リブ（１２ｂ）とが交差することによって形成された格子状部とによって構成され、
（２）脚部が該格子状部の下端から下方に突き出して形成され、
（３）該脚部は、該脚部を横断する複数の平行な第２縦リブ（１２ａ’）と該脚部を横断する複数の平行な第２横リブ（１２ｂ’）によって区切られた、複数の有底中空状脚部によって構成され、
（４）該脚部を横断する複数の平行な第２縦リブ（１２ａ’）の間隔は、該脚部を横断しない複数の平行な第１縦リブ（１２ａ）の間隔よりも狭く形成され、かつ、該脚部を横断する複数の平行な第２横リブ（１２ｂ’）の間隔は、該脚部を横断しない複数の平行な第１横リブ（１２ｂ）の間隔よりも狭く形成されている
ことを特徴とする合成樹脂製パレットに関する。
【０００８】
縦方向に延びた複数の第１縦リブと横方向に延びた複数の第１横リブとが交差して格子状部を形成することにより、水平板状部の撓み強度を向上させることができ、特に、前記脚部が、脚部を横断する複数の平行な第２縦リブと、脚部を横断する複数の平行な第２横リブによって区切られた、複数の有底中空状脚部によって構成されている合成樹脂製パレットとすることにより、脚部周辺の強度も向上させることができるのである。
【０００９】
さらに強度を向上させるのに適した構造として、脚部を横断する複数の平行な第２縦リブの間隔は、脚部を横断しない複数の平行な第１縦リブの間隔よりも狭く形成され、かつ、脚部を横断する複数の平行な第２横リブの間隔は、脚部を横断しない複数の平行な第１横リブの間隔よりも狭く形成されている。これら脚部を横断する間隔の狭い複数の平行な第２縦リブ、あるいは第２横リブとしては、十分な強度と成型のし易さから、２本から４本が好ましい。
【００１０】
このような構造の合成樹脂製パレットの脚部には、後述するような突起状の嵌合部を有する合成樹脂製連結板状体を連結するための係止部挿入孔を設けておくことがよい。
【００１１】
また、合成樹脂製パレットを多段に積み重ねて収納、保管するために、脚部は有底中空構造であり、特に、上方に向かって拡開して形成されていることが好ましい。
【００１２】
また、さらに載荷部の強度を向上させる構造として、載荷部の周辺には、下方に垂下した垂下部が形成され、垂下部の内側には、下方に傾斜した傾斜辺を有する傾斜リブが複数個形成されている。そして、傾斜リブの複数個は、第１縦リブ又は第１横リブに連続するように形成されていることが好ましく、フォーク挿入部上の傾斜リブは、その傾斜辺が側方に向かって露出していることが好ましい。
【００１３】
また、さらに脚部が、載荷部の隅部から下方に突き出して設けられた隅部の脚部、載荷部の周辺の中間部から下方に突き出して設けられた中間部の脚部及び載荷部の中央部から下方に突き出して設けられた中央部の脚部とから成る構造とすることが好ましい。
【００１４】
本発明によれば、充分な強度を有する合成樹脂製パレットを提供することができるが、このような合成樹脂製パレット上に物品を載せて多段に積み重ねた場合に、脚部が下段の物品に当たることを防止し、また物品を載せてローラーコンベアー上で移動させるような場合にも搬送安定性を確保するために、合成樹脂製パレット本体の脚部に係止部挿入孔を設けることで、該挿入孔に突起状の嵌合部を有する合成樹脂製連結板状体の係止部を挿入して嵌着させた、合成樹脂製パレットがよい。
【００１５】
【発明の実施の形態】
以下、図面に従い、本発明に係わる合成樹脂製パレットの好適な実施の形態について説明する。
図１は本発明に係わる合成樹脂製パレットの１つの実施の形態を示す平面図であり、図２は図１に示した合成樹脂製パレットの底面図であり、図３は図１に示した合成樹脂製パレットの正面図であり、図４は図１に示した合成樹脂製パレットの断面図であり、図５は図１に示した合成樹脂製パレットを積み重ねた状態の部分断面図であり、図６は同じく図１に示した合成樹脂製パレットを積み重ねた状態を示す部分断面図である。
【００１６】
本発明に係わる合成樹脂製パレットは、載荷部１０と、該載荷部１０から下方に突き出した複数の脚部２１とを有し、該脚部の間にフォーク挿入部３０が設けられている。載荷部１０は、水平板状部１１と、該水平板状部１１の下面に設けられた縦方向に延びた複数の第１縦リブ１２ａと横方向に延びた複数の第１横リブ１２ｂとが交差することによって形成された格子状部１２とによって構成され、且つ脚部が格子状部１２の下端から下方に突き出して形成されている。
【００１７】
水平板状部１１には、多数の通孔１３が形成されている。格子状部１２を構成する第１縦リブ１２ａ及び第１横リブ１２ｂは、それぞれ上下方向に垂直とされている。第１縦リブ１２ａ及び第１横リブ１２ｂは、幅を３〜１５ｍｍ、高さを３０〜５０ｍｍ、間隔を２０〜１００ｍｍとすることが好ましい。
【００１８】
脚部は、載荷部１０の隅部から下方に突き出して設けられた隅部の脚部２０ａ、載荷部１０の周辺の中間部から下方に突き出して設けられた中間部の脚部２０ｂ及び載荷部１０の中央部から下方に突き出して設けられた中央部の脚部２０ｃとから成る。
【００１９】
脚部は、脚部を横断する間隔を狭くした複数の平行な第２縦リブ１２ａ’及び脚部を横断する間隔を狭くした複数の平行な第２横リブ１２ｂ’によって区切られた複数、例えば４個の有底中空状脚部２１によって構成されている。間隔を狭くした複数の平行な第２縦リブ１２ａ’及び間隔を狭くした複数の平行な第２横リブ１２ｂ’は、通常２本〜４本、好ましくは２本設け、該リブの間隔は、１０〜５０ｍｍとすることが好ましい。また、有底中空状脚部２１は、上方に向かって拡開して形成することが好ましい。
【００２０】
載荷部１０の周辺には、下方に垂下した垂下部１４が形成され、垂下部１４の内側には、下方に傾斜した傾斜辺１５ａを有する傾斜リブ１５が複数個形成されている。また、傾斜リブ１５の複数個は、第１縦リブ１２ａ又は第１横リブ１２ｂに連続するように形成されていることが好ましい。
【００２１】
フォーク挿入部３０上に於いて、垂下部１４の下端に沿って切欠部１４ａを形成することにより、フォーク挿入部３０上に於いて、傾斜リブ１５の傾斜辺１５ａを側方に向かって露出させることが好ましい。
【００２２】
図７は本発明に係わる合成樹脂製パレットの別の実施形態を示す載荷面側からみた平面図であり、脚部底面には合成樹脂製連結板状体の突起状の嵌合部が嵌着されている様子を示しており、図８は図７に示した合成樹脂製パレットの底面図であり、図９は合成樹脂製連結板状体の例を示す部分斜視図であり、図１０は図７に於ける線Ｃ−Ｃに沿った部分拡大断面図であり、図１１は図７に示した合成樹脂製パレットの正面図であり、図１２は図７に示した合成樹脂製パレットの断面図である。
【００２３】
図７〜図１２で示す合成樹脂製パレットでは、合成樹脂製パレット本体１に於いて、各有底中空状脚部２１の底部には、合成樹脂製連結板状体を着脱自在に取り付ける為に長円弧部１２１と、該長円弧部１２１の周辺に立設された低い土手部１２２とが形成されている。
【００２４】
合成樹脂製パレット本体１の有底中空状脚部２１に着脱自在に取り付けられる合成樹脂製連結板状体は、例えば両端部が隅部の有底中空状脚部２０ａに着脱自在に取り付けられ、且つ中央部が中間部の有底中空状脚部２０ｂに着脱自在に取り付けられる２個の合成樹脂製連結板状体２ａと、両端部が中間部の有底中空状脚部２０ｂに着脱自在に取り付けられ、且つ中央部が中央部の有底中空状脚部２０ｃに着脱自在に取り付けられる１個の合成樹脂製連結板状体２ｂとから成る。
【００２５】
合成樹脂製連結板状体２ａ及び合成樹脂製連結板状体２ｂは、同一形状とすることができ、合成樹脂製パレット本体１の有底中空状脚部２１に着脱自在に取り付ける為に３個以上の係止部２１１が形成されている。係止部２１１は、係止する有底中空状脚部２１の数と同数、例えば図７のパレットの場合は、１２個設けることが好ましい。該係止部２１１は、円筒状であれば良いが、図９に例で示す様に、スリットで切り離された一対の略半円筒状が好ましく、該係止部２１１の上端には鍔部２１３が形成されている。
【００２６】
また、脚部を横断しない複数の平行な第１縦リブ１２ａの間隔よりも狭い間隔で脚部を横断する複数の平行な第２縦リブ１２ａ’、及び脚部を横断しない複数の平行な第１横リブ１２ｂの間隔よりも狭い間隔で脚部を横断する複数の平行な第２横リブ１２ｂ’によって区切られた複数の有底中空状脚部２１に突起状の嵌合部２１５が形成されている。例えば有底中空状脚部２１が４個の場合、嵌合部２１５は図９の様に「王」の字状に形成されている。
【００２７】
合成樹脂製連結板状体２ａ、２ｂは、図１０に示すように係止部２１１に形成された鍔部２１３を土手部１２２の上端に係止させることにより、合成樹脂製パレット本体１の有底中空状脚部２１に着脱自在に取り付けることができる。即ち、合成樹脂製パレット本体１に合成樹脂製連結板状体２ａ、２ｂを取り付けるには、例えば合成樹脂製パレット本体１を裏返して床上に置き、合成樹脂製連結板状体２ａ、２ｂを裏返し、土手部１２２と係止部２１１とを重ね合わせて合成樹脂製パレット本体１上に合成樹脂製連結板状体２ａ、２ｂを置き、合成樹脂製連結板状体２ａ、２ｂを下方に押し圧し、径を狭めながら係止部２１１を土手部１２２内で下降させて係止部２１１に形成された鍔部２１３を土手部１２２の上端に係止させればよい。
【００２８】
また、合成樹脂製パレット本体１から合成樹脂製連結板状体２ａ、２ｂを取り外すには、例えば内周部を係止部２１１の鍔部２１３に接触させてパイプを鍔部２１３上に置き、パイプを下方に押し下げ、係止部２１１の径を狭めて鍔部２１３を土手部１２２の上端から外した後に、合成樹脂製パレット本体１を合成樹脂製連結板状体２ａ、２ｂから持ち上げて係止部２１１と土手部１２２を外せばよい。
【００２９】
合成樹脂製連結板状体２ａ、２ｂには傾斜部３を設けておくことが好ましい。傾斜部３があると合成樹脂製パレット本体１に合成樹脂製連結板状体２ａ、２ｂを取り付けて使用する際、合成樹脂製連結板状体２ａ、２ｂの方向からハンドリフター等車輪の付いた運搬機器の乗り入れを容易に行うことができる。
【００３０】
本発明に係わる合成樹脂製パレット、及び該合成樹脂製パレットと合成樹脂製連結板状体とを連結して一体となした合成樹脂製パレットは、ポリエチレン、ポリプロピレン等の合成樹脂を使用し、射出成形することによって製造することができる。この場合、合成樹脂製パレットも合成樹脂製連結板状体もそれぞれ一体に形成することができ、合成樹脂中には着色剤、充填剤等の添加剤を適宜に添加してもよい。
【００３１】
【発明の効果】
本発明に係わる合成樹脂製パレットは、載荷部１０に、縦方向に延びた複数の第１縦リブ１２ａと横方向に延びた複数の第１横リブ１２ｂとが交差した格子状部１２が形成されていることにより、上方からの荷重に対して大きな強度を有している。
【００３２】
本発明に係わる合成樹脂製パレットは、脚部を横断する間隔を狭くした複数の平行な第２縦リブ１２ａ’及び脚部を横断する間隔を狭くした複数の平行な第２横リブ１２ｂ’によって区切られた複数の有底中空状脚部２１によって脚部を構成し、脚部を横断する第２縦リブ１２ａ’及び第２横リブ１２ｂ’を形成することにより、上方からの荷重によって脚部が変形することを防止することができ、脚部が上方からの荷重に対して大きな強度を有している。
【００３３】
更に、第２縦リブ１２ａ’及び第２横リブ１２ｂ’は、脚部を横断すると共にフォーク差込口も横断し、パレットのほぼ全幅に渡って直線状に連続しており、脚部や脚部の湾曲部で直線の連続性を失うことがない。
【００３４】
従って、脚部を横断する第２縦リブ１２ａ’及び脚部を横断する第２横リブ１２ｂ’を形成することにより、フォークリフトで物品を輸送する際の撓みを大幅に小さくすることができ、パレットの破損や物品の落下を防止することができる。
【００３５】
本発明に係わる合成樹脂製パレット本体は、有底中空状脚部２１を上方に向かって拡開して形成することにより、有底中空状脚部２１で入子積みをして合成樹脂製パレットを多段に積み重ねることが可能となり、合成樹脂製パレットを多段に積み重ねて保管する際に容積を小さくすることができる。
【００３６】
本発明に係わる合成樹脂製パレット本体は、載荷部１０の周辺から下方に垂下した垂下部１４を形成し、該垂下部１４の内側には下方に傾斜した傾斜辺１５ａが設けられた傾斜リブ１５を複数個形成し、フォーク挿入部３０上に於いて傾斜リブ１５の傾斜辺１５ａを側方に向かって露出させることにより、合成樹脂製パレットを多段に積み重ねた際に、傾斜リブ１５をガイドにして多段に積み重ねられた合成樹脂製パレットの間にフォークリフトのフォークを挿入して多段に積み重ねられた合成樹脂製パレットを容易に分けることができる。
【００３７】
本発明に係わる合成樹脂製パレットは、合成樹脂製パレット本体の有底中空状脚部２１に合成樹脂製連結板状体を取り付けることにより、合成樹脂製パレット上に物品を載せて多段に積み重ねた場合に合成樹脂製パレットの有底中空状脚部２１が下段の物品に当たって下段の物品を破損することを防止することができ、且つ合成樹脂製パレットに物品を載せてローラーコンベアー上で移動させた場合に合成樹脂製連結板状体がローラーコンベアー上を移動することによってゴトゴトと好ましくない振動が生じることを防止することができる。
【００３８】
また、合成樹脂製パレット本体１の有底中空状脚部２１に合成樹脂製連結板状体を取り付ける際、係止部２１１に加えて突起状の嵌合部２１５を有底中空状脚部２１間に嵌合させることで嵌着力を増すことが出来、合成樹脂製パレット本体に合成樹脂製連結板状体を取り付けた状態で荷役作業者がパレットを床面上で引きずるように移動すること等があっても、不用意に合成樹脂製連結板状体が外れることがない。
【図面の簡単な説明】
【図１】本発明に係わる合成樹脂製パレットの１つの実施の形態を示す平面図である。
【図２】図１に示した合成樹脂製パレットの底面図である。
【図３】図１に示した合成樹脂製パレットの正面図である。
【図４】図１に示した合成樹脂製パレットの断面図である。
【図５】図１に示した合成樹脂製パレットを積み重ねた状態の部分断面図である。
【図６】図１に示した合成樹脂製パレットを積み重ねた状態を示す部分断面図である。
【図７】本発明に係わる合成樹脂パレットの別の実施形態の例を示す平面図である。
【図８】図７に示した合成樹脂製パレットの底面図である。
【図９】本発明に係わる合成樹脂製連結板状体の例を示す部分斜視図である。
【図１０】図７に於ける線Ｃ−Ｃに沿った部分拡大断面図である。
【図１１】図７に示した合成樹脂製パレットの正面図である。
【図１２】図７に示した合成樹脂製パレットの断面図である。
【符号の説明】
２ａ、２ｂ  合成樹脂製連結板状体
１０  載荷部
１１  水平板状部
１２  格子状部
１２ａ  第１縦リブ
１２ａ’  第２縦リブ
１２ｂ  第１横リブ
１２ｂ’  第２横リブ
１４  垂下部
１５  傾斜リブ
１５ａ  傾斜辺
２０ａ  隅部の脚部
２０ｂ  中間部の脚部
２０ｃ  中央部の脚部
２１  有底中空状脚部
１２１  切り欠き部
１２２  土手部
２１１  係止部
２１５  突起状の嵌合部
【図１】
0003976222.tif 000002
【図２】
0003976222.tif 000003
【図３】
0003976222.tif 000004
【図４】
0003976222.tif 000005
【図５】
0003976222.tif 000006
【図６】
0003976222.tif 000007
【図７】
0003976222.tif 000008
【図８】
0003976222.tif 000009
【図９】
0003976222.tif 000010
【図１０】
0003976222.tif 000011
【図１１】
0003976222.tif 000012
【図１２】
0003976222.tif 000013